(57)【要約】【課題】靴底の汚れを靴底から取り去る粘着シートの交換をシートに手を触れることなく容易に行うことを可能にし、使用中塵埃の付着していない部分の靴底面が粘着シートに張り付くことにより靴底清浄化後粘着シート面から一歩を踏み出す際の足の挙上を容易にすること、及び、粘着シート面上に散乱する微細な塵埃が再度靴底に付着するのを防止する。【解決手段】ロール巻きしてなる粘着テープの支持軸と、同テープの巻取軸及びその駆動手段とを有し、前記両軸間を拭清エリアとし、該エリアに粘着面を上にして前記粘着テープを延引し、該粘着テープの下位には、粘着テープをガイドするパンチングボードを有する吸引ボックスを設置し、又、拭清エリアに侵入した者の数を計測するカウンターを設け、所定カウント数に達した後に巻取軸駆動手段を所定回転させ、ロール巻きしてなる粘着テープの未使用粘着面を拭清エリアに位置してなる。【選択図】図１
2012034806.tif 000002
【特許請求の範囲】
【請求項１】
ロール巻きしてなる粘着テープの支持軸と、同テープの巻取軸及びその駆動手段とを有し、前記両軸間を拭清エリアとし、該エリアに粘着面を上にして前記粘着テープを延引し、該粘着テープの下位には、粘着テープをガイドするパンチングボードを有する吸引ボックスを設置したことを特徴とする靴底クリーナー。
【請求項２】
拭清エリアには、拭清エリアに侵入した者の数を計測するカウンター及び、該カウンターが所定カウント数に達したときに巻取軸を所定回転させる駆動手段を設け、毎カウント時、若しくは所定カウント数に達した後に巻取軸駆動手段を所定回転させ、ロール巻きしてなる粘着テープの未使用粘着面を拭清エリアに位置させ得ることを可能にしたことを特徴とする請求項1記載の靴底クリーナー。 
【発明の詳細な説明】
【技術分野】
【０００１】
本発明は、クリーンルーム等の清浄空間に入室する際に靴底に付着した汚れ，塵埃などを除去する靴底クリーナーに関する。
【背景技術】
【０００２】
半導体，製薬及び食品工場等に代表されるクリーンルーム若しくはそれに準ずる作業エリアでは、靴底に付着した汚れや塵埃が該エリア内に持ち込まれることに起因する、工場内部で生産している製品への悪影響を避けるため、作業エリアに入る前に靴底の汚れや塵埃を除去することが行われている。
【０００３】
即ち、一面に粘着剤を塗布したシート体を適宜枚数積層して粘着面を上に清浄空間入口に配し、入室者は、入室時に粘着面を踏むことによって靴底の塵埃を落とすことが行われた。然し、この手法では入室者数が粘着シートの有効対象者数以上になる前に最上面の粘着テープを取り除かねばならず、その為に通過人員をカウントするカウンターを設け、その表示に従って、塵埃の付着した粘着テープを取り除く操作をしなければならなかった（特許文献１，２）。
【０００４】
また、上記の如く積層されている粘着シートを、使用不可となった最上位のものからめくり取る手間を省くために、ロール状に巻いた粘着シートをフレーム上に引き出して展開し、入室者に粘着シートを踏ませ、適宜使用後それを巻き取るようにしたものもある（特許文献３）。
【０００５】
然し、これらの粘着シートは、いずれもシート表面の粘着剤の作用によって靴底の塵埃をシート面に付着させることによって靴底面を清浄に保っているが、シート面上に人が乗った際に、靴底の塵埃等の付着していない部分も当然粘着面と接することになる。そのために、シート面上の者が一歩踏み出そうと足を上げた際に、靴底と粘着シートとが接着し、足を上げ憎い、或は粘着シートが靴底に接着した状態で持ち上げられるという事態が生じる。
【０００６】
更に、粘着マット周囲には、粘着マットに付着せずに靴底から落下した小塵埃その他が散乱しマット上で足踏みすることで再度靴底にそれらが付着する事態を生ずる恐れがあった。
【先行技術文献】
【特許文献】
【０００７】
【特許文献１】特許第２９３９４３１号公報
【特許文献２】特開平１１−５６７４３号公報
【特許文献３】特開平６−１６９８７６号公報
【発明の概要】
【発明が解決しようとする課題】
【０００８】
本発明は、上記の点に鑑みて、靴底の汚れを靴底から取り去る粘着シートの交換をシートに手を触れることなく容易に行うことを可能にし、使用中塵埃の付着していない部分の靴底面が粘着シートに張り付くことにより、靴底清浄化後粘着シート面から一歩を踏み出す際の足の挙上を妨げることを無くすこと、及び、粘着シート面上に散乱する微細な塵埃等を取り除きそれらが再度靴底に付着するのを防止することを目的としている。
【課題を解決するための手段】
【０００９】
請求項１記載の発明にあっては、靴底クリーナーにおいて、ロール巻きしてなる粘着テープの支持軸と、同テープの巻取軸及びその駆動手段とを有し、前記両軸間を拭清エリアとし、該エリアに粘着面を上にして前記粘着テープを延引し、該粘着テープの下位には、粘着テープをガイドするパンチングボードを有する吸引ボックスを設置してなる。
請求項２記載の発明にあっては、請求項１記載の靴底クリーナーにおいて、拭清エリアには、拭清エリアに侵入した者の数を計測するカウンター及び該カウンターが所定カウント数に達したときに巻取軸を所定回転させる駆動手段を設け、毎カウント時若しくは所定カウント数に達した後に巻取軸駆動手段を所定回転させ、ロール巻きしてなる粘着テープの未使用粘着面を拭清エリアに引き出し位置させてなる。
【発明の効果】
【００１０】
本発明装置は、拭清エリアを覆って設けた粘着テープの下位に粘着テープをガイドするパンチングボードを有する吸引ボックスを設けたために、拭清エリアにおいて拭清動作時常に粘着テープは吸引ボックス側に吸引されている状態を保ち、靴底の拭清時に、靴底の塵埃が付着していない部分と粘着テープ面とが密着した状態となっても、拭清エリアから一歩踏み出そうと足を上げようとした場合に靴底と密着している粘着テープが靴底と共に吸引ボックスから浮くということはなく、粘着テープは吸引ボックスの吸引力に引かれて吸引ボックスのパンチングボード側に残り靴底面と粘着テープとは離れることになるので、容易に足を上げ拭清エリアから出ることが出来る。
【００１１】
本発明装置は拭清エリアに入った人員をカウントするカウンターが設けられており、所定のカウント数となった際、即ち、粘着テープが使用限度となった際に巻取軸の駆動装置が働き、ロール状テープを巻き取るようにしてあるため、粘着テープの標準的使用限度まで使用することが出来ると共に、従来の積層された粘着シートを手で剥がすような取換手段を講ずることなく、粘着シートに手を触れることなく新しいシート面とすることが出来る。
また、カウンターのカウントごとに粘着テープを少量（例えば数ミリ）巻き取るようにする事で、テープの使用箇所を常にずらす動作方式とすることが出来、同じ位置で繰り返し使用される粘着力の急激な低下、人の乗り降りによる皺の破れの発生をなくし、粘着力とテープの状態を常に保持する事を可能としている。
更に、カウンターを使用せず、粘着テープを微速度で巻取り常に未使用の粘着テープを繰り出すことも可能である。
【図面の簡単な説明】
【００１２】
【図１】本発明靴底クリーナーの平面図。
【図２】図１のII−II線における切断面図。
【図３】本発明靴底クリーナーのカバーを取り外した平面図。
【図４】図１のIV−IV線における切断面図。
【図５】粘着テープ支持機構を示し、ａは未使用粘着テープ支持機構の断面図、ｂは使用済粘着テープ支持機構の分解図。
【発明を実施するための形態】
【００１３】
本発明靴底クリーナー１の実施の形態につき以下図面と共に説明する。
靴底クリーナー１は、靴底の塵埃等を吸引除去するためのサクションボックス２を有する。サクションボックス２は上面に複数の吸引口群を有するパンチングボード３を設け、該パンチングボード３からサクションボックス２外部のエア，塵埃等を吸引するためのファン４を内装するダクト５を設けている。ファン４の排気側にヘパフィルタ６を取り付けている。サクションボックス２のパンチングボード３の上面を被って走行可能に粘着テープ７を設ける。
未使用の粘着テープ７は、図３，図４，図５ａに示す如くロール状に芯材８に巻き付けられて未使用粘着テープロール７ａを形成し、支持部材９ａの支持軸１０ａの端部に設けたフランジ１０ｂによって芯材８を両端から挟持することによってサクションボックス２の一側に軸支されている。前記ロール７ａからパンチングボード３の上面に引き出した未使用の粘着テープ７は使用後、使用済粘着テープ１４としてサクションボックス２の他側に設けられた支持部材９ｂに支持された巻取フランジ１５に巻き取っている。その巻取の詳細につき次に説明する。
【００１４】
上記未使用の粘着テープ７は、図４,図５ａに示す如く芯材８にロール状に巻き付けられ、該芯材８は対に設けられているテープ支持部材９ａのそれぞれに支持されたテープ支持軸１０ａの端部に設けられたフランジ１０ｂに挟持されることによって適宜取り付け取り外し自在に支持されている。未使用の粘着テープ７は巻き付けられている芯材８から適宜引き出し、使用済となった粘着テープ１４の端部は引き出し側と対向する巻取側の巻取フランジ１５に巻取固定されるが、使用済粘着テープ１４の巻取機構は図３及び図５ｂに示すように次の如く構成されている。
支持部材９ｂに設けた支持軸１１の支軸頭部１２ａを筒状に巻いた使用済粘着テープロール１４ａの一端部に嵌合し、他端も同様に中間の支持部材９ｂに支持された支持軸１１の支軸頭部１２ｂに嵌合することにより、筒状の使用済粘着テープロール１４ａを両側から挟持している。図３に示す例では使用済粘着テープ１４は２本対称形に設けられているが、構成としては同一なのでここではその一方について説明する。
【００１５】
そして、スプリング１３により支軸頭部１２ａは支持部材９ｂより常に突出する方向に付勢されているので、対の支持部材９ｂに支持された支持軸１１先端に設けた支軸頭部１２ａ，ｂに支持されている巻取フランジ１５に巻かれた使用済テープをフランジ１５から取り外す際には、スプリング１３を圧縮し支軸頭部１２ａを一旦後退させ支軸頭部１２ａ，１２ｂの間隔を開けて取り外し、取り付け時はその逆にし、巻取フランジ１５に前記支軸頭部１２を嵌合し、対向する支持部材９ｂの使用済テープ支持軸１１の支軸頭部１２ａと支軸頭部１２ｂとのそれぞれの巻取フランジ１５間に使用済粘着テープ１４を挟持することにより支軸頭部１２，１２間に使用済粘着テープ１４を巻取支持することを可能にしている。
【００１６】
使用済粘着テープ１４の巻取手段につき次に説明する。
筒状に巻かれた使用済粘着テープ１４を支持する使用済テープ支持軸１１に平行に設けた駆動軸１８の歯車１９ａと、使用済テープ支持軸１１に設けた歯車１９ｂとを噛み合わせることで、駆動軸駆動用モータ２０の回転を使用済テープ支持軸１１に伝えている。使用済テープ支持軸１１先端には支軸頭部１２ａを配し、使用済テープ支持軸１１を囲って設けたスプリング１３により、支軸頭部１２を使用済粘着テープ１４を筒状に支持している巻取フランジ１５に進出嵌合させることによって、使用済テープ支持軸１１に使用済粘着テープ１４を支持している。使用済粘着テープ１４を取り外す際には、スプリング１３の弾発力に抗して支持軸１１ａをスライドし、芯材から引抜くことにより使用済粘着テープ１４を取り外すことが可能である。
使用済粘着テープ１４は未使用の粘着テープ７の支持機構のそれと同じく支持部材９ｂによって支持され筒状に巻かれた使用済粘着テープ１４に平行した駆動軸１８から歯車１９ａ,１９ｂを介して使用済テープ支持軸１１に回転が伝えられ回転する。駆動軸１８は巻取用モータ２０により回転される。
【００１７】
上記した粘着テープ７及びその支持機構、駆動機構、排気手段等を覆ってカバー２１を設ける。カバー２１にはパンチングボード３に相対する位置に靴乗せ用の２つの窓２２を併設してある。また、窓２２の上位に２つの窓を横断して障害物を感知するセンサー２３を設置している。図１に示すセンサー２３の例は、窓２２を挟んでその一側縁に投光部２３ａを、他側縁に受光部２３ｂを設けているが、図２に示すセンサー２３は窓２２の一側縁に投光部２３ａを設け、それと対向する他側縁に反射板２４を設け投光部２３ａと併設した受光部２３ｂで反射光を検知することで窓２２に位置する足部を確認しても良く、センサーの種類は適宜採用出来る。また、検知を確実にするため図１に示す如き対のセンサーを複数対設置しても良い。センサー２３が粘着テープ７上の靴等を感知するとファン４が作動するようにしている。２５は、操作パネルである。
【００１８】
本発明装置により靴底の汚れを除去するには次の如くして行う。
未使用粘着テープロール７ａから引き出した粘着テープ７を巻取側の巻取フランジ１５に巻き付け、粘着テープ７をパンチングボード３上の窓２２に位置させ、その位置に靴底２４を乗せる。このとき巻取用モーター２０は停止しており、未使用の粘着テープ７は未使用粘着テープロール７ａから引き出され端を巻取フランジ１５に巻き付けられている。そして、上記の如く窓２２に現われている粘着テープ７の上で足を動かし靴底２６の塵埃等を粘着テープ７に付着させることで靴底２６を拭清する。
【００１９】
足踏みの動作１回をセンサーが検知する毎に約５mm程度粘着テープを巻き取り、徐々に新品に入れ替えを行う方式と、使用人数を設定し設定人数に達すると一足分の長さのテープを未使用のテープと入れ替える方式の２種類があり、操作パネル２５上で選択が可能となっている。使用人数は人検知センサーでカウントしている。
粘着テープ７に付着した塵埃等はそのままとし、粘着テープ７上に散乱しているが如き塵は吸引ファン４の作動による吸引気流によりサクションボックス２内に吸引されヘパフィルタ６で分離され清浄空気のみ装置外に排出される。
【００２０】
上記清拭中パンチングボード３上で足踏み等して靴底の付着物を粘着テープ７に移そうとする際に靴底の異物が付着していない部分は当然粘着テープと接することになり、足踏みしたとき足を上げると靴底に粘着テープ７が付着して持ち上がる方向に動こうとすることになるが、このとき吸引ファン４が作動しているためパンチングボード３の吸引口からサクショウボックス２外の空気が吸引されており、流れのために粘着テープ７は靴の上昇に付いて持ち上げられることはなく自然に靴底と粘着テープとは離れて足の動きの自由度を阻害されることはない。
【符号の説明】
【００２１】
１  靴底クリーナー
２  サクションボックス
３  パンチングボード
４  吸引ファン
５  ダクト
６  ヘパフィルタ
７  粘着テープ
７ａ  未使用粘着テープロール
８  芯材
９ａ，９ｂ  支持部材
１０ａ  支持軸
１０ｂ  フランジ
１１  使用済テープ支持軸
１２ａ，１２ｂ  支軸頭部
１３  スプリング
１４  使用済粘着テープ
１５  巻取フランジ
１８  駆動軸
１９ａ，１９ｂ  歯車
２０  巻取用モータ
２１  カバー
２２  窓
２３  センサー
２３ａ  投光部
２３ｂ  受光部
２４  反射板
２５  操作パネル
２６  靴底
【図１】
2012034806.tif 000003
【図２】
2012034806.tif 000004
【図３】
2012034806.tif 000005
【図４】
2012034806.tif 000006
【図５】
2012034806.tif 000007
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
ロール巻きしてなる未使用の粘着テープの支持軸と、使用済粘着テープの支持軸及びその駆動手段とを有し、前記両軸間を拭清エリアとし、該エリアに粘着面を上にして前記粘着テープを延引してなる靴底クリーナにおいて、使用済粘着テープを巻き取る対の使用済テープ支持軸先端の支軸頭部に巻取フランジを嵌合し、前記巻取フランジに使用済粘着テープの両側端縁を巻き付け得るようにしたことを特徴とする靴底クリーナー。 
【手続補正２】
【補正対象書類名】明細書
【補正対象項目名】０００９
【補正方法】変更
【補正の内容】
【０００９】
請求項１記載の発明にあっては、靴底クリーナーにおいて、ロール巻きしてなる未使用の粘着テープの支持軸と、使用済粘着テープの支持軸及びその駆動手段とを有し、前記両軸間を拭清エリアとし、該エリアに粘着面を上にして前記粘着テープを延引してなる靴底クリーナにおいて、使用済粘着テープを巻き取る対の使用済テープ支持軸先端の支軸頭部に巻取フランジを嵌合し、前記巻取フランジに使用済粘着テープの両側端縁を巻き付け得るようにした。
【手続補正３】
【補正対象書類名】明細書
【補正対象項目名】００１４
【補正方法】変更
【補正の内容】
【００１４】
上記未使用の粘着テープ７は、図４,図５ｂに示す如く芯材８にロール状に巻き付けられ、該芯材８は対に設けられているテープ支持部材９ａのそれぞれに支持されたテープ支持軸１０ａの端部に設けられたフランジ１０ｂに挟持されることによって適宜取り付け取り外し自在に支持されている。未使用の粘着テープ７は巻き付けられている芯材８から適宜引き出し、使用済となった粘着テープ１４の端部は引き出し側と対向する巻取側の巻取フランジ１５に巻取固定される。巻取フランジは薄い円形の鍔状に構成され、その周縁部分に使用済の粘着テープ１４の端縁部位が巻き付けられ全体として筒状体を形成する（図５ａ）。従って、巻かれた使用済粘着テープ１４ａには、芯材は存在しない。その理由は、巻取芯が筒状であると巻き取るうちに巻ずれが生じ易く、ロールを最後まで巻き取る事が困難で、図示の如き両端に分かれた巻取フランジ１５，１５の使用と、巻き取ったテープ中央部が中空となることでテープが緩んで両端部より中央部の径が太くなり、テープが中央に寄る効果を生じ巻ずれを防止している。使用済粘着テープ１４の巻取機構は図３及び図５ａに示すように次の如く構成されている。
対の支持部材９ｂの一方に設けた支持軸１１の支軸頭部１２ａに巻取フランジ１５を嵌合し、他端も同様に中間の支持部材９ｂに支持された支持軸１１の支軸頭部１２ｂに巻取フランジ１５を嵌合し、対の支軸頭部１２ａ，１２ｂ間に、筒状の使用済粘着テープロール１４ａを両側から挟持している。図３に示す例では使用済粘着テープ１４は２本対称形に設けられているが、構成としては同一なのでここではその一方について説明する。
【手続補正４】
【補正対象書類名】明細書
【補正対象項目名】００１６
【補正方法】変更
【補正の内容】
【００１６】
使用済粘着テープ１４の巻取手段につき次に説明する。
図3において、筒状に巻かれた使用済粘着テープ１４を支持する使用済テープ支持軸１１に平行に設けた駆動軸１８の歯車１９ａと、使用済テープ支持軸１１に設けた歯車１９ｂとを噛み合わせることで、駆動軸駆動用モータ２０の回転を使用済テープ支持軸１１に伝えている。使用済テープ支持軸１１先端には支軸頭部１２ａ，１２ｂを配し、使用済テープ支持軸１１を囲って設けたスプリング１３により、支軸頭部１２ａを使用済粘着テープ１４を筒状に支持している巻取フランジ１５に進出嵌合させることによって、使用済テープ支持軸１１に使用済粘着テープロール１４ａを支持している。使用済粘着テープロール１４ａを取り外す際には、スプリング１３の弾発力に抗して支軸頭部１２ａをスライドし、巻取フランジから引抜くことにより使用済粘着テープロール１４ａを取り外すことが可能である。
使用済粘着テープロール１４ａは未使用の粘着テープ７の支持機構のそれと同じく支持部材９ｂによって支持され筒状に巻かれた使用済粘着テープロール１４ａに平行した駆動軸１８から歯車１９ａ,１９ｂを介して使用済テープ支持軸１１に回転が伝えられ回転する。駆動軸１８は巻取用モータ２０により回転される。